(57)【特許請求の範囲】
【請求項１】
キャビネットの前面に吹出口が形成され、吹出口の前方に、吹出口より大きく形成された導風パネルが設けられ、導風パネルは、上下の軸を中心にして上下両開き可能とされ、上下の軸のうち一軸が移動可能とされ、一軸を挟んで保持しながら吹出口に近づくように移動させる軸移動部と、導風パネルを開くために導風パネルを前方に向かって移動させるパネル移動部と、上下の軸のうち他軸を保持する保持体と、モータによって回転駆動される正逆回転可能な駆動ギアとが設けられ、駆動ギアの一面側にパネル移動部が配され、駆動ギアの他面側に軸移動部および保持体が配され、駆動ギアの回転により軸移動部、パネル移動部および保持体が動作し、
導風パネルが閉じているとき、導風パネルは吹出口の前方に位置し、導風パネルの一軸側の端縁は吹出口の開口縁より前側に位置し、駆動ギアの逆回転により、保持体が他軸の保持を解除してから、軸移動部が一軸を挟んで保持したまま吹出口に近づくように移動しながら導風パネルが一軸を中心にして開き、導風パネルの一軸側の端縁が吹出口の開口縁の前側に近接した位置に移動して、導風パネルが吹出口を形成する壁に連なり、導風パネルが吹出口の一部となり、
導風パネルが閉じているとき、駆動ギアの正回転により、保持体が他軸を保持したまま軸保持部が一軸の保持を解除してから、導風パネルが他軸を中心にして開くことを特徴とする空気調和機。
【請求項２】
吹出口の開口縁は湾曲するように形成され、一軸を中心にして導風パネルが開いたとき、導風パネルの一軸側の端縁と吹出口の開口縁との間に隙間が形成され、隙間から吹き出た風が導風パネルに沿って流れることを特徴とする請求項１記載の空気調和機。
【請求項３】
パネル移動部は、導風パネルに取り付けられたアームと、アームを移動自在に支持する移動体と、各軸を着脱するときにアームの移動を規制し、導風パネルを開くときにアームを前方に突出させるようにアームを案内するアーム案内部とを有し、移動体が駆動ギアにスライド可能に嵌められたことを特徴とする請求項１または２記載の空気調和機。
【請求項４】
軸移動部は、一軸を挟んで保持する一対の第１保持体および第２保持体を有し、第１、第２保持体は、互いに独立して移動可能とされ、導風パネルの開閉する方向に応じて第１、第２保持体の移動を案内する軸案内部が設けられたことを特徴とする請求項１〜３のいずれかに記載の空気調和機。
【請求項５】
軸案内部は、導風パネルが一軸を中心にして開くとき、第１、第２保持体を一体的に移動するように案内し、導風パネルが他軸を中心にして開くとき、第１保持体と第２保持体とが一旦離れて再び近づくように各保持体を案内することを特徴とする請求項４記載の空気調和機。
【請求項６】
一軸が上側の軸とされ、他軸が下側の軸とされ、導風パネルは、一軸を中心にして下開きし、他軸を中心にして上開きすることを特徴とする請求項１〜５のいずれかに記載の空気調和機。
【請求項７】
吹出口の上側の開口縁が、水平から上向きに湾曲するように形成され、導風パネルが一軸を中心に開いたとき、導風パネルが、前方に向かって水平から斜め下向きに湾曲した吹出口の上壁になることを特徴とする請求項６記載の空気調和機。
【発明の詳細な説明】
【技術分野】
【０００１】
本発明は、室内ユニットに上下両開き可能なパネルを有する空気調和機に関する。
【背景技術】
【０００２】
空気調和機の室内ユニットには、キャビネットの前面に吹出口が形成され、吹出口から温風あるいは冷風が吹き出される。冷暖房運転に応じて、吹き出す風の向きを切り換えるパネルが吹出口の前方に設けられる。
【０００３】
特許文献１には、キャビネットの前面を覆うパネルが上下の軸を中心にして上下両開き可能とされ、パネルは上軸を中心に上開きし、下軸を中心に下開きすることが記載されている。
【先行技術文献】
【特許文献】
【０００４】
【特許文献１】特許第４２３７２３８公報
【発明の概要】
【発明が解決しようとする課題】
【０００５】
上記の空気調和機では、パネルが上下の固定されたそれぞれの軸を中心にして開く。パネルが下開きしたとき、パネルの上軸側の端縁は、吹出口の開口縁よりも上方に位置する。すなわち、吹出口の上壁と導風パネルとは離れている。風が吹出口から吹き出しても、風は直接導風パネルに沿って流れない。吹出口から出た風は、離れた導風パネルに当り、導風パネルに導かれて下方向に向かう。
【０００６】
このように、上記の導風パネルは、吹出口から吹き出す風を導く機能を十分に発揮しているとは言い難い。そのため、吹出口の近傍に、風向きを制御するための補助フラップを設ける必要がある。しかし、このフラップがあると、送風の抵抗となり、気流の圧力損失が生じ、遠くまで風を吹き出すことができなくなる。
【０００７】
本発明は、上記に鑑み、導風パネルを活用して、効率よく送風できる空気調和機の提供を目的とする。
【課題を解決するための手段】
【０００８】
本発明は、キャビネットの前面に吹出口が形成され、吹出口の前方に、吹出口より大きく形成された導風パネルが設けられ、導風パネルは、上下の軸を中心にして上下両開き可能とされ、上下の軸のうち一軸が移動可能とされたものである。導風パネルが閉じているとき、導風パネルは吹出口の前方に位置し、導風パネルの一軸側の端縁は吹出口の開口縁より前側に位置し、一軸を中心にして導風パネルが開いたとき、一軸が吹出口に近づくように移動し、導風パネルの一軸側の端縁が吹出口の開口縁の前側に近接した位置に移動して、導風パネルが吹出口を形成する壁に連なり、導風パネルが吹出口の一部となる。
【０００９】
導風パネルは吹出口より大きいので、導風パネルの端縁は吹出口から離れて位置する。導風パネルが一軸周りに回転して開いたとき、一軸を吹出口に近づくように移動させることにより、導風パネルの一軸側の端縁が吹出口の近傍に位置する。これにより、吹出口と導風パネルとが連なり、吹出口が延長される。風を長く拘束することができ、導風パネルを利用して、所望の方向に送風することが可能となる。
【００１０】
一軸を中心にして導風パネルが開いたとき、導風パネルの一軸側の端縁と吹出口の開口縁との間に隙間が形成される。隙間から吹き出た風が導風パネルに沿って流れる。この風により、導風パネルの外面への発露を防げる。
【００１１】
導風パネルを開くために導風パネルを前方に向かって移動させるパネル移動部と、一軸を吹出口に近づくように移動させる軸移動部とが設けられる。パネル移動部および軸移動部の動作により、導風パネルが開きながら、導風パネルの一軸が吹出口に近づく。これにより、一軸の近くにある導風パネルの一軸側の端縁が吹出口の開口縁に近づく。
【００１２】
上下の軸のうち他軸を保持する保持体が設けられ、軸移動部は一軸を保持する。一軸を中心にして導風パネルが開くとき、保持体は他軸の保持を解除し、軸移動部は一軸を保持したまま一軸を移動させる。他軸を中心にして導風パネルが開くとき、保持体が他軸を保持したまま、軸移動部は一軸の保持を解除する。
【００１３】
パネル移動部は、導風パネルに取り付けられたアームと、アームを移動自在に支持する移動体と、アームがキャビネットから出没するように移動体を移動させる駆動部とを有する。軸移動部は駆動部に接続され、駆動部は、一軸を保持する軸移動部を吹出口に向かって移動させる。パネル移動部と軸移動部は、駆動部を共用するので、別々に駆動部を設ける必要がなくなる。
【００１４】
軸移動部は、一軸を挟んで保持する一対の第１保持体および第２保持体を有し、第１、第２保持体は、互いに独立して移動可能とされる。第１保持体と第２保持体とが近づくように移動すると、一軸が挟まれて保持される。第１保持体と第２保持体とが離れるように移動すると、一軸の保持が解除される。
【００１５】
一軸が上側の軸とされ、他軸が下側の軸とされ、導風パネルは、一軸を中心にして下開きし、他軸を中心にして上開きする。導風パネルが上開きしたとき、導風パネルの上軸側の端縁が吹出口に近づき、導風パネルは吹出口の上壁に連なる。
【００１６】
吹出口の上側の開口縁が、水平から上向きに湾曲するように形成される。導風パネルが湾曲して形成されている場合、導風パネルが一軸を中心に開いたとき、導風パネルが、前方に向かって水平から斜め下向きに湾曲した吹出口の上壁になる。
【発明の効果】
【００１７】
本発明によると、吹出口より大きな導風パネルが吹出口の一部となることにより、吹出口が延長される。導風パネルを利用して、風の流れを制御することができ、送風の効率化を図れる。
【図面の簡単な説明】
【００１８】
【図１】本発明の空気調和機の室内ユニットの正面図
【図２】（ａ）導風パネルが閉姿勢のときの室内ユニットの断面図、（ｂ）下開きしたときの室内ユニットの断面図、（ｃ）上開きしたときの室内ユニットの断面図
【図３】空気調和機の制御ブロック図
【図４】吹出ユニットの斜視図
【図５】開閉部のケースの斜視図
【図６】内面側から見た開閉部の分解斜視図
【図７】外面側から見た開閉部の分解斜視図
【図８】（ａ）駆動部の外面側の側面図、（ｂ）駆動部の内面側の側面図
【図９】運転停止時の開閉部を示し、（ａ）アームの動きを示す図、（ｂ）保持体の動きを示す図、（ｃ）保持体のピンの動きを示す図
【図１０】上開きの開始時の開閉部を示し、（ａ）アームの動きを示す図、（ｂ）保持体の動きを示す図、（ｃ）保持体のピンの動きを示す図
【図１１】導風パネルが上開きし始めたときの開閉部を示し、（ａ）アームの動きを示す図、（ｂ）保持体の動きを示す図、（ｃ）保持体のピンの動きを示す図
【図１２】上開き途中の開閉部を示し、（ａ）アームの動きを示す図、（ｂ）保持体の動きを示す図、（ｃ）保持体のピンの動きを示す図
【図１３】上開き全開時の開閉部を示し、（ａ）アームの動きを示す図、（ｂ）保持体の動きを示す図、（ｃ）保持体のピンの動きを示す図
【図１４】下開きの開始時の開閉部を示し、（ａ）アームの動きを示す図、（ｂ）保持体の動きを示す図、（ｃ）保持体のピンの動きを示す図
【図１５】導風パネルが下開きし始めたときの開閉部を示し、（ａ）アームの動きを示す図、（ｂ）保持体の動きを示す図、（ｃ）保持体のピンの動きを示す図
【図１６】下開き途中の開閉部を示し、（ａ）アームの動きを示す図、（ｂ）保持体の動きを示す図、（ｃ）保持体のピンの動きを示す図
【図１７】下開き全開時の開閉部を示し、（ａ）アームの動きを示す図、（ｂ）保持体の動きを示す図、（ｃ）保持体のピンの動きを示す図
【発明を実施するための形態】
【００１９】
本実施形態の空気調和機の室内ユニットを図１、２に示す。室内ユニットは、熱交換器１および室内ファン２を備え、これらがキャビネット３に内装されている。キャビネット３の上面に吸込口４が形成され、キャビネット３の前面から底面にかけて湾曲面が形成され、湾曲面に吹出口５が形成される。
【００２０】
キャビネット３の内部には、吸込口４から吹出口５に至る空気通路６が形成され、この空気通路６に熱交換器１と室内ファン２とが配設される。吸込口４と熱交換器１との間に、フィルタが配され、吸込口４から吸込んだ室内の空気から塵埃がフィルタにより除去される。
【００２１】
キャビネット３には、吹出口５を開閉する導風パネル１０が設けられる。導風パネル１０は、上下両開き可能とされ、キャビネット３に開閉自在に支持される。
【００２２】
導風パネル１０は、上下の軸を中心にして、異なる方向に回動することにより、上下いずれかの方向に開く。図２（ｂ）に示すように、暖房運転時には導風パネル１０は上軸１１周りに下開きする。この下開き姿勢のとき、導風パネル１０は、吹出口５の前方を遮蔽し、前方に向かって吹き出される温風を押さえ込み、温風を床面方向に導く。なお、急速冷房運転時にも、導風パネル１０は下開き姿勢とされ、冷風が床面方向に吹き出され、急速冷房が行われる。
【００２３】
図２（ｃ）に示すように、導風パネル１０は、冷房運転時には下軸１２周りに上開きする。この上開き姿勢のとき、導風パネル１０は、冷風を斜め上方向に導き、冷風が天井に沿って吹き出す。図２（ａ）に示すように、導風パネル１０は、運転停止時には閉姿勢となり、吹出口５を覆って、キャビネット３と一体化する。
【００２４】
空気調和機では、室内ユニットに対して図示しない室外ユニットが室外に設置されている。室外ユニットには、圧縮機、熱交換器、四方弁、室外ファン等が内装され、これらと室内側の熱交換器１とによって冷凍サイクル１３が形成される。そして、図３に示すように、冷凍サイクル１３を制御する制御装置１４が室内ユニットに設けられる。マイコンからなる制御装置１４は、ユーザの指示および室温や外気温を検出する温度センサ等の各種のセンサ１５の検出信号に基づいて、冷凍サイクル１３を制御し、冷暖房運転を行う。このとき、制御装置１４は、冷暖房運転に応じて導風パネル１０を開閉するための開閉部１６を制御し、導風パネル１０を開閉する。
【００２５】
キャビネット３は、後側の背面板１７と、左右の側面カバーと、前側の前面パネル１８とによって左右方向に横長の箱状に形成される。キャビネット３に、吹出口５を形成するための吹出ユニット２０が設けられる。前面パネル１８は、キャビネット３の前側の上部に位置し、前面パネル３と左右の側面カバーとに囲まれた前側の下部から底面にかけての空間に、吹出ユニット２０が内装される。吹出ユニット２０は、背面板１７にねじ等によって取り付けられる。
【００２６】
図４に示すように、吹出ユニット２０は、上下左右の壁によって筒状に形成される。吹出ユニット２０の前側が吹出口５となり、内部の空間が空気通路６に連通される。吹出ユニット２０の上壁２１は、後側部分ではほぼ水平とされ、前側部分では、斜め上に向かって折れ曲がり、斜め上に向かって傾斜した前壁２２につながる。下壁２３は、後側から前側に向かって下がるように傾斜している。左右の側壁２４は、垂直であり、前縁が湾曲している。
【００２７】
吹出ユニット２０の前面は、前面パネル１８の前面や側面カバーの前面よりも少し後側に位置する。吹出ユニット２０の前方に、キャビネット３の前面から底面にかけて一段低くなった凹部が形成される。この凹部に、導風パネル１０が配される。導風パネル１０は、左右方向において吹出ユニット２０より大きく形成され、導風パネル１０は、吹出ユニット２０の前方に位置して、吹出ユニット２０および左右の側面カバーを覆う。
【００２８】
ここで、吹出口５の開口縁は、上壁２１と前壁２２との境界、下壁２３の前縁および左右の側壁２４の前縁によって形成される。上壁２１と前壁２２との境界は、水平方向から斜め上方向に変曲する箇所にある左右方向に平行な折れ目とされる。なお、吹出ユニット２０には、風向板２５が設けられる。風向板２５は、左右方向に角度を変えて、左右方向の風向きを変える。また、吹出ユニット２０に、イオン発生ユニット２６が装着されている。
【００２９】
導風パネル１０が開いたとき、導風パネル１０が吹出口５の近傍にあると、導風パネル１０を吹出口５の一部として利用でき、効率のよい送風を行える。そこで、導風パネル１０を送風の効率化に活用できるように、開閉部１６は、導風パネル１０を移動させながら開閉する。
【００３０】
図５〜７に示すように、開閉部１６は、導風パネル１０を開くために導風パネル１０を前方に向かって移動させるパネル移動部２７と、上軸１１を保持し、上軸１１を吹出口５に近づくように移動させる軸移動部２８と、下軸１２を保持する下軸保持体２９とを有している。図１に示すように、開閉部１６は、左右一対に設けられ、キャビネット３の左右両側に内装される。開閉部１６は、吹出口５よりも外側に配される。
【００３１】
閉姿勢の導風パネル１０は、吹出口５を覆い、導風パネル１０の上側の端縁は吹出ユニット２０の前壁２２の斜め下に位置している。このとき、上軸１１は、吹出口５よりも前側上部の離れた位置にある。下軸１２は、吹出口５の開口縁の近傍に位置している。
【００３２】
上軸１１を中心にして導風パネル１０が開閉するとき、パネル移動部２７が導風パネル１０を移動させるとともに、下軸保持体２９は下軸１２の保持を解除し、軸移動部２８は上軸１１を保持したまま上軸１１を移動させる。上軸１１が吹出口５に近づき、導風パネル１０は吹出口５に近づきながら開く。下軸１２を中心にして導風パネル１０が開閉するとき、パネル移動部２７が導風パネル１０を移動させるとともに、下軸保持体２９が下軸１２を保持したまま、軸移動部２８は上軸１１の保持を解除する。下軸１２は移動せずに、導風パネル１０は開く。
【００３３】
導風パネル１０が上軸１１を中心にして下開きしたとき、導風パネル１０の上側の端縁は吹出口５の開口縁に近接した位置にくる。導風パネル１０が上開きしたとき、導風パネル１０の下側の端縁は吹出口５の近傍にあり、下側の端縁の位置はほとんど変わらない。
【００３４】
導風パネル１０は、湾曲した１枚のパネルによって形成され、キャビネット３の凹部を覆う。閉姿勢の導風パネル１０は、キャビネット３の湾曲面を構成する。導風パネル１０の幅は、キャビネット３の幅と同寸とされ、吹出口５の幅より大とされる。
【００３５】
図６，７に示すように、導風パネル１０の内面の左右方向の両側には、支持材３０が設けられる。導風パネル１０は、支持材３０に着脱自在に取り付けられる。支持材３０にアーム３１が回動自在に取り付けられ、アーム３１はキャビネット３に支持されている。すなわち、導風パネル１０は、アーム３１を介してキャビネット３に取り付けられ、かつキャビネット３に着脱可能とされる。
【００３６】
上下軸１１、１２は、導風パネル１０側に設けられる。上軸１１は支持材３０の前側に設けられ、導風パネル１０の上側の端縁の近くに位置する。下軸１２は支持材３０の後側に設けられ、導風パネル１０の下側の端縁の近くに位置する。上下軸１１，１２は、左右方向に平行に配置され、支持材３０から離れるように両端が支持される。上下軸１１、１２は、前後左右方向において、吹出口５よりも外側に位置し、かつ吹出口５よりも前方に位置する。そのため、上下軸１１、１２は、吹出口５から吹き出される風の流れを邪魔することはない。
【００３７】
なお、支持材３０を導風パネル１０に一体化してもよい。アーム３１は、導風パネル１０に直接取り付けられる。この場合、アーム３１を導風パネル１０に着脱可能に取り付けることにより、導風パネル１０はキャビネット３に対して着脱可能となる。
【００３８】
開閉部１６は、ケース３２に内装され、ユニット化される。ケース２６がキャビネット３にねじ等により取り付けられる。ケース３２は、左右一対の内ケース３２ａ、外ケース３２ｂによって２分割可能に形成される。内ケース３２ａがキャビネット３の内面側に位置し、外ケース３２ｂが外面側に位置する。キャビネット３の内面側は、左右方向において吹出口５に面する側であり、外面側は、キャビネット３の左右の側面カバーに面する側である。
【００３９】
ケース３２の前側下部の湾曲面が導風パネル１０に対向し、この湾曲面にアーム３１が出入りする開口３３が形成されている。導風パネル１０に連結されたアーム３１は、ケース３２の開口３３を通ってキャビネット３から出没する。
【００４０】
パネル移動部２７は、導風パネル１０に取り付けられたアーム３１と、アーム３１を移動自在に支持する移動体３５と、アーム３１がキャビネット３から出没するように移動体３５を移動させる駆動部３６とを有する。
【００４１】
駆動部３６は、モータ３７によって回転駆動される駆動ギアとされ、外ケース３２ｂに形成された固定軸３８に回転自在に支持される。モータ３７は、外ケース３２ｂに装着され、モータ軸に取り付けられたモータギア３９が駆動部３６の外周に形成されたギアと噛み合う。モータ３７が駆動すると、駆動部３６が回転する。モータ３７は正逆回転可能とされ、導風パネル１０の開く方向に応じてモータ３７が駆動され、駆動部３６は正回転あるいは逆回転する。左右の駆動部３６は、同期して回転される。ここで、駆動部３６に対して正面から見たとき、前側に向かって回転する方向を正方向とし、後側に向かって回転する方向を逆方向とする。導風パネル１０が下開きするとき、駆動部３６は逆方向に回転し、上開きするとき、駆動部３６は正方向に回転する。
【００４２】
図８に示すように、駆動部３６の内面側に、直線溝４０が形成されている。直線溝４０は、固定軸３８を跨いで半径方向に形成される。移動体３５が直線溝４０にスライド可能に嵌められる。直線溝４０に、固定軸３８が嵌まる軸受４１が突設され、移動体３５の中央に、軸受４１が通る孔４２が形成される。移動体３５が直線溝４０に嵌め込まれ、キャップ４３が軸受４１内の固定軸３８に取り付けられることにより、移動体３５は、駆動部３６から外れないように押え込まれる。直線溝４０の一側は他側より低くなっており、移動体３５の一側が駆動部３６から外側にはみ出すことが可能とされる。なお、直線溝４０の一側には、段差が設けられており、移動体３５が段差に当たって、移動体３５が直線溝４０から抜け出さないようになっている。
【００４３】
移動体３５の一側にアーム軸４５が突設され、アーム軸４５がアーム３１の後側に形成された軸孔４６に嵌め込まれる。アーム３１の前側が、支持材３０に軸ピン４７を介して回転自在に取り付けられる。アーム３１は、移動体３５に回転自在に支持される。すなわち、アーム３１は、間接的にキャビネット３に移動可能に支持される。
【００４４】
そして、導風パネル１０の開閉に応じてアーム３１の突出を調節するために、アーム３１の移動を規制するアーム案内部４８が設けられる。図７に示すように、アーム案内部４８は、アーム軸４５を案内するガイド溝である。アーム案内部４８は、内ケース３２ａの内面に形成され、アーム３１を貫通したアーム軸４５がアーム案内部４８に移動可能に保持される。
【００４５】
アーム案内部４８は、上開き時にアーム３１を案内する上ガイドと下開き時にアーム３１を案内する下ガイドとからなる。導風パネル１０が開くとき、駆動部３６の回転に伴って移動体３５が円周方向に移動すると、上ガイドあるいは下ガイドに沿ってアーム３１の後側が移動し、移動体３５が直線溝４０に沿って半径方向にスライドする。なお、アーム３１の前側は移動しない。続いて、移動体３５が円周方向に移動しながらスライドし、アーム３１全体がキャビネット３の前方に向かって移動する。導風パネル１０が閉じるときには、移動体３５およびアーム３１はこれとは逆の動きをする。
【００４６】
アーム案内部４８は、略Ｃ形の溝であって、曲線状の３つの溝によって構成される。曲率が小さい中間溝５０を挟んで曲率の大きい上溝５１および下溝５２が配され、３つの溝によって１つのガイド溝が形成される。中間溝５０の上半分と上溝５１とにより上ガイドが形成され、中間溝５０の下半分と下溝５２とにより下ガイドが形成される。下溝５２は、上溝５１よりも固定軸３８の中心からの距離が長くなるように形成される。
【００４７】
そして、中間溝５０内に上ガイドと下ガイドとの分岐点が位置し、この位置がアーム３１の停止位置とされる。アーム３１の後側が停止位置にあるとき、導風パネル１０は閉姿勢にある。
【００４８】
上ガイドにおいて、中間溝５０の区間が、導風パネル１０を閉じたまま上軸１１の保持あるいは解除するときの着脱区間とされ、上溝５１の区間が、導風パネル１０を開閉する開閉区間とされる。下ガイドも同様に、中間溝５０の区間が、導風パネル１０を閉じたまま下軸１２の保持あるいは解除するときの着脱区間とされ、下溝５２の区間が、導風パネル１０を開閉する開閉区間とされる。
【００４９】
着脱区間では、アーム軸４５は中間溝５０を移動し、アーム３１の後側がアーム３１の前側の支軸４７を中心した円弧上を移動する。そのため、アーム３１の移動が規制され、アーム３１の前側はケース３２の開口３３から突出しない。開閉区間では、アーム軸４５は上溝５１あるいは下溝５２を移動する。上溝５１および下溝５２はケース３２の前面に近づくように形成されているので、導風パネル１０が開くときには、アーム軸４５は前方に向かって移動し、アーム３１はケース３２から徐々に突出する。導風パネル１０が閉じるときには、逆にアーム軸４５が後方に向かって移動し、アーム３１はケース３２内に徐々に戻っていく。
【００５０】
図６に示すように、下軸保持体２９は、内ケース３２ａに突設された支軸５５に回転自在に支持される。下軸保持体２９は、下軸１２を引っ掛けて保持する爪５６を有し、爪５６と一体的にレバー５７が形成されている。爪５６はケース３２から突出しており、爪５６に対向するように、ケース３２に突片５８が形成される。下軸１２が爪５６と突片５８とに挟まれることにより、下軸１２が保持される。爪５６が突片４８から離れると、下軸１２の保持が解除される。
【００５１】
下軸保持体２９は、駆動部３６によって移動され、爪５６が突片５８に対して近接離間する。爪５６が突片５８に近接したとき、下軸１２を保持し、爪５６が突片５８から離れたとき、保持が解除される。図７，８に示すように、駆動部３６に、下軸保持体２９を移動させるための板カム５９が一体的に設けられる。板カム５９は、駆動部３６の外面側に形成される。レバー５７を板カム５９に押し付けるためのばね６０が設けられる。ばね６０の一端が外ケース３２ｂに取り付けられ、ばね６０の他端が下軸保持体２９に取り付けられる。
【００５２】
板カム５９には、大円部６１と小円部６２とが形成される。下軸保持体２９のレバー５７が大円部６１に接触しているとき、駆動部３６が回転しても、下軸保持体２９は移動しない。下軸保持体２９は、下軸１２を保持した状態を維持する。レバー５７が小円部６２に接触すると、駆動部３６の回転に伴って下軸保持体２９は支軸５５周りに回転し、爪５６が突片５８に対して近づいたり、離れたりする。このとき、下軸１２の保持が解除される。
【００５３】
軸移動部２８は、上軸１１を挟んで保持する一対の第１上軸保持体７０および第２上軸保持体７１を有する。第１、第２上軸保持体７０、７１は、互いに独立して移動可能とされる。第１上軸保持体７０および第２上軸保持体７１は、駆動部３６よりも外面側に配され、外ケース３２ｂに突設された保持軸７２に回転自在に支持される。第１上軸保持体７０と第２上軸保持体７１とは、左右方向に並べて配置される。各上軸保持体７０、７１を固定軸３８が貫通しており、各上軸保持体７０、７１が移動しても固定軸３８に接触しないように、各上軸保持体７０、７１に固定軸３８が貫通する抜け孔７３が形成されている。
【００５４】
第１上軸保持体７０および第２上軸保持体７１は、上軸１１を挟むためのフック７０ａ，７１ａをそれぞれ有し、第１上軸保持体７０のフック７０ａは第２上軸保持体７１のフック７１ａよりも下方に位置する。ケース３２の湾曲面に長孔７４が形成され、各フック７０ａ，７１ａは、長孔７４を通じてケース３２から突出するとともに、吹出口５に向かって移動可能とされる。また、第２上軸保持体７１に、長孔７４を塞ぐシャッター７５が形成され、各フック７０ａ，７１ａが吹出口５に近づくように各上軸保持体７０，７１が移動したとき、シャッター７５が長孔７４を塞ぐ位置に移動する。なお、各フック７０ａ，７１ａが上軸１１を保持する位置にあるとき、長孔７４は第２上軸保持体７１の外周面によって塞がれる。
【００５５】
第１上軸保持体７０のフック７０ａが第２上軸保持体７１のフック７１ａに対して近接離間することにより、上軸１１の保持と保持の解除が行われる。また、両フック７０ａ，７１ａが上軸１１を挟んで保持したまま、両上軸保持体７０，７１が一体的に移動することにより、上軸１１が保持軸７２を中心とする円周上を移動する。
【００５６】
軸移動部２８は駆動部３６に接続され、駆動部３６は軸移動部２８を吹出口５に向かって移動させる。軸移動部２８が移動するとき、導風パネル１０の開閉する方向に応じて各上軸保持体７０、７１の移動を案内する軸案内部が設けられる。
【００５７】
図６〜８に示すように、軸案内部は、溝カム８０と、第１上軸保持体７０および第２上軸保持体７１に設けられたピン７０ｂ、７１ｂとから構成される。溝カム８０は駆動部３６に設けられ、板カム５９の外側面に形成される。第１上軸保持体７０と左右方向に並んだ第２上軸保持体７１に、第１上軸保持体７０のピン７０ｂを通すためのピン孔８１が形成されている。第１上軸保持体７０および第２上軸保持体７１のピン７０ｂ、７１ｂが溝カム８０に嵌まる。駆動部３６の回転により、ピン７０ｂ、７１ｂは溝カム８０に沿って駆動部３６における半径方向に移動する。このピン７０ｂ、７１ｂの移動により、各上軸保持体７０、７１は保持軸７２周りに回動して移動する。
【００５８】
溝カム８０は、上開き時に両ピン７０ｂ、７１ｂを案内する第１溝８２と下開き時に両ピン７０ｂ、７１ｂを案内する第２溝８３とからなる。溝カム８０は連続した１つの溝により形成され、第１、第２上軸保持体７０、７１により上軸１１を保持しているときにピン７０ｂ、７１ｂが位置する始点Ｓを境にして、第１溝８２と第２溝８３とに分かれる。第２溝８３は、始点Ｓから上側に向かって延びた１本の溝とされ、固定軸３８から徐々に離れる曲線状に形成される。第１溝８２は、始点Ｓから下側に向かって延び、固定軸３８を中心とする円周上に形成された溝とされ、始点Ｓ近傍で固定軸３８から離れた分岐溝８４を有する。第２上軸保持体７１のピン７１ｂは円周上の溝を通り、第１上軸保持体７０のピン７０ｂは、分岐溝８４を経て円周上の溝を通る。
【００５９】
各上軸保持体７０、７１のピン７０ｂ、７１ｂが同じ溝を通るとき、各上軸保持体７０、７１の動きは同じとなる。第１上軸保持体７０のピン７０ｂが分岐溝８４を通るとき、第１上軸保持体７０と第２上軸保持体７１とは異なる動きをする。すなわち、第１上軸保持体７０のフック７０ａが第２上軸保持体７１のフック７１ａに対して近接離間する。
【００６０】
導風パネル１０が閉姿勢のとき、両ピン７０ｂ，７１ｂは溝カム８０の始点Ｓに位置する。導風パネル１０が下開きするとき、駆動部３６の回転に伴って移動体３５が回転すると、第２溝８３に沿って両ピン７０ｂ，７１ｂが一体となって固定軸３８から遠ざかる方向、すなわち吹出口５に近づく方向に移動する。各上軸保持体７０，７１は保持軸７２周りに後側に向かう方向（逆方向）に回動し、各上軸保持体７０、７１のフック７０ａ，７１ａは閉じたまま吹出口５に近づくように移動する。
【００６１】
導風パネル１０が上開きするとき、駆動部３６の回転に伴って移動体３５が回転すると、第１溝８２に沿って両ピン７０ｂ，７１ｂが一旦離れて再び近づき、その後両ピン７０ｂ，７１ｂは一体になったまま移動しない。各上軸保持体７０，７１のフック７０ａ，７１ａは開いて、再び閉じる。各フック７０ａ，７１ａは、吹出口５には近づくようには移動しない。導風パネル１０が閉じるときには、各ピン７０ｂ，７１ｂの移動に応じて、各上軸保持体７０，７１はこれとは逆の動きをする。
【００６２】
開閉部１６では、パネル移動部２７、軸移動部２８および下軸保持体２９が１つの駆動源であるモータ駆動される駆動部３６によって動作する。運転が開始されると、制御装置１４は開閉部１６のモータ３７を制御する。駆動部３６は、所定の制御シーケンスにしたがって動作する。軸移動部２８あるいは下軸保持体２９が動作すると、上下の軸１１、１２のうち一方の軸の保持が解除される。パネル移動部２７が動作すると、アーム３１がキャビネット３の前方に向かって移動して、導風パネル１０が開く。軸移動部２８が動作すると、上軸１１が移動し、導風パネル１０の上軸側の端縁が吹出口５の開口縁に近づく。
【００６３】
導風パネル１０が閉じるときは、上記と逆の方向にアーム３１が移動し、導風パネル１０が閉姿勢になった後、一方の軸が保持される。そして、アーム３１が停止位置にきたとき、モータ３７の駆動が停止される。
【００６４】
ここで、開閉部１６は、アーム３１の位置を検出する検知スイッチ８５を備えている。板カム５９に凸部８６が形成され、アーム３１が停止位置に到達したとき、検知スイッチ８５は凸部８６に接触する。すると、検知スイッチ８５はオンして、制御装置１４に検知信号を出力する。制御装置１４は、この検知信号に基づいて導風パネル１０が閉姿勢になったと判断し、運転を停止する。
【００６５】
次に、制御シーケンスにしたがって導風パネル１０が開閉するときの開閉部１６の動きを説明する。導風パネル１０が上開きする場合の開閉部１６の動きを図９〜１１に示す。運転が停止しているとき、図９に示すように、開閉部１６は停止状態にある。すなわち、導風パネル１０は閉姿勢にある。第１上軸保持体７０および第２上軸保持体７１は上軸１１を保持し、下軸保持体２９は下軸１２を保持している。アーム３１は停止位置にある。ここで、冷房運転の指示があると、制御装置１４は、開閉部１６の動作を開始させ、駆動部３６が正方向に回転するようにモータ３７を駆動制御する。
【００６６】
図１０に示すように、モータ３７の駆動により、駆動部３６は正方向に回転する。第１、第２上軸保持体７０、７１のピン７０ｂ，７１ｂは第１溝８２を通り、第１上軸保持体７０のピン７０ｂが分岐溝８４に入ると、第１上軸保持体７０が回動する。第２上軸保持体７１は回動しない。第２上軸保持体７１のフック７１ａは移動せず、第１上軸保持体７０のフック７０ａが第２上軸保持体７１のフック７１ａから離れる。下軸保持体２９のレバー５７は板カム５９の大円部６１に接触し、下軸保持体２９は移動しないので、下軸１２は保持されたままである。アーム軸４５は上ガイドの中間溝５０を通る。アーム３１の後側は移動するが、アーム３１の前側は移動しない。導風パネル１０は、閉姿勢を維持している。
【００６７】
図１１に示すように、アーム軸４５が上溝５１に入ると、アーム３１が前方に移動し始める。第１上軸保持体７０のピン７０ｂは分岐溝８４にあり、第１上軸保持体７０のフック７０ａと第２上軸保持体７１のフック７１ａとは離れ、上軸１１の保持が解除される。下軸１２は保持されたままである。アーム３１の前方への移動に伴って、導風パネル１０が下軸１２を中心にして開き始める。
【００６８】
図１２に示すように、アーム軸４５は上溝５１を通り、アーム３１はキャビネット３から徐々に突出する。導風パネル１０の開き角度が大きくなる。第１上軸保持体７０のピン７０ｂは第２上軸保持体７１のピン７１ｂとともに第１溝８２に入る。第１上軸保持体７０のフック７０ａが第２上軸保持体７１のフック７１ａに近づき、両フック７０ａ，７０ａは閉じた状態になる。このように、導風パネル１０が上開きしているときに両フック７０ａ，７１ａが閉じることにより、フック７０ａ，７１ａに衝撃が加わったとしても、フック７０ａ，７１ａの損傷を防げる。
【００６９】
図１３に示すように、導風パネル１０の開き角度が最大になると、制御装置１４はモータ３７を停止させる。制御装置１４は、モータ３７の回転角をカウントしており、所定の回転角に達したとき、導風パネル１０が全開したと判断し、モータ３７は停止する。このとき、アーム軸４５が上溝５１の終端の手前に位置したときに、駆動部３６の回転は停止する。全開の導風パネル１０に上から外力がかかった場合、アーム軸４５は上溝５１の終端まで移動可能であるので、導風パネル１０はさらに開く。このように導風パネル１０が開くことにより、外力の影響を排除でき、開閉部１６の各部には負荷がかからない。
【００７０】
導風パネル１０が開くと、制御装置１４は、冷凍サイクル１３を制御して、指示された運転を行う。風が吹出口５から導風パネル１０により導かれて、水平に遠くまで吹き出す。
【００７１】
ここで、導風パネル１０が上開きしたとき、導風パネル１０の下軸側の端縁は、吹出口５の開口縁の近傍に位置して、導風パネル１０は、吹出口５の下壁２３に連なって、吹出口５の一部となる。このとき、導風パネル１０の端縁は下軸１２周りに移動するので、導風パネル１０を吹出口５の下壁２３に接触させることはできない。
【００７２】
図２（ｃ）に示すように、導風パネル１０が開くときに導風パネル１０の端縁が移動できるように、導風パネル１０の端縁と吸込口５の下壁２３との間に隙間Ａが形成される。そして、導風パネル１０の端縁は、吹出口５の下壁２３よりも少し下がった位置にする。導風パネル１０の内面と吹出口５の下壁２３とには段差ができる。導風パネル１０の熱膨張や移動時の遊びが生じても、段差を設けることにより、導風パネル１０が吸込口５の下壁２３よりも上方に位置することはない。そのため、導風パネル１０が風の流れを阻害することを防ぎ、常にスムーズな風の流れが得られる。
【００７３】
また、吹出口５を流れる空気の風圧により、隙間Ａからキャビネット３の外部の空気が吸い込まれる。導風パネル１０が上開きのとき、吹出口５から冷風が吹き出されるが、冷気が隙間Ａから漏れることはない。冷気による導風パネル１０の外面への発露を防げる。
【００７４】
運転停止の指示があると、制御装置１４は、モータ３７を駆動して、駆動部３６を逆方向に回転させる。アーム３１が後方に向かって移動し、導風パネル１０が閉じ始める。図１１に示すように、導風パネル１０が閉姿勢になる前に、閉じていたフック７０ａ，７１ａが開く。図１０に示すように、導風パネル１０が閉姿勢になった後、第１上軸保持体７０のフック７０ａが移動して、第１、第２上軸保持体７０，７１の両フック７０ａ，７１ａが上軸１１を挟んで保持する。アーム３１の後側が停止位置に達すると、検知スイッチ８５がオンし、制御装置１４は、モータ３７を停止させ、運転を停止する。
【００７５】
開閉部１６が図９に示す停止状態にあるときに、暖房運転あるいは急速冷房運転の指示が行われると、制御装置１４は、運転を開始し、駆動部３６が逆方向に回転するようにモータ３７を駆動制御する。図１４に示すように、モータ３７の駆動により、駆動部３６は逆方向に回転する。板カム５９の大円部６１に接触していた下軸保持体２９のレバー５７は、小円部６２に接触する。下軸保持体２９が移動し、下軸保持体２９の爪５６が突片５８から離れる。下軸１２の保持が解除される。第１、第２上軸保持体７０，７１のピン７０ｂ，７１ｂは第２溝８３を通る。上軸１１は保持されたままである。下軸１２の保持が解除されたとき、第１、第２上軸保持体７０，７１はまだ回動しない。アーム軸４５は下ガイドの中間溝５０を通る。アーム３１の後側は移動するが、アーム３１の前側は移動しない。導風パネル１０は、閉姿勢を維持している。
【００７６】
図１５に示すように、アーム軸４５が下溝５２に入ると、アーム３１が前方に移動し始める。第１、第２上軸保持体７０，７１のピン７０ｂ，７１ｂは第２溝８３にあり、両ピン７０ｂ，７１ｂは固定軸３８から徐々に離れていく。第１、第２上軸保持体７０，７１がともに回動する。上軸１１は保持されたまま移動し始める。アーム３１の前方への移動に伴って、導風パネル１０が上軸１１を中心にして開き始める。上軸１１の移動に伴って、導風パネル１０の上軸１１側の端縁が吹出口５側に移動する。下軸保持体２９のレバー５７は板カム５９の小円部６２に接触しているので、下軸保持体２９の爪５６は突片５８から離れたままである。
【００７７】
図１６に示すように、アーム軸４５は下溝５２を通り、アーム３１はキャビネット３からさらに突出する。導風パネル１０の開き角度が大きくなる。第１、第２上軸保持体７０，７１のピン７０ｂ，７１ｂは第２溝８３にあり、さらに固定軸３８から離れる。第１、第２上軸保持体７０，７１はさらに回動し、上軸１１は吹出口５の近傍に位置する。両ピン７０ｂ，７１ｂが固定軸３８から最も離れた位置に達すると、第１、第２上軸保持体７０，７１の回動が止まる。このとき、上軸１１は吹出口５に最も近づいた位置にある。
【００７８】
さらに駆動部３６が回転すると、図１７に示すように、第１、第２上軸保持体７０，７１は回動しないまま、すなわち上軸１１は動かずに導風パネル１０が開いて、開き角度が最大になる。制御装置１４は、導風パネル１０が全開したと判断し、モータ３７を停止させる。導風パネル１０が開くと、制御装置１４は、冷凍サイクル１３を制御して、指示された運転を行う。風が吹出口５から導風パネル１０により下方に向かって導かれる。
【００７９】
導風パネル１０が全開したとき、アーム軸４５は下溝５２の終端に達する。各上軸保持体７０、７１のピン７０ｂ，７１ｂは、第２溝８３の終端の手前に位置する。導風パネル１０に下から外力がかかった場合、導風パネル１０は上軸１１周りに回転する。これに伴ってアーム３１はアーム軸４５周りに回転し、第１、第２上軸保持体７０、７１が導風パネル１０により押されて移動する。このように導風パネル１０を移動可能な状態にしておくことにより、外力の影響を排除できる。
【００８０】
運転停止の指示があると、制御装置１４は、モータ３７を駆動して、駆動部３６を正方向に回転させる。アーム３１が後方に向かって移動し、導風パネル１０が閉じる。上軸１１が元の位置に戻り、下軸１２が保持されて、導風パネル１０は閉姿勢となる。アーム３１の後側が停止位置に達すると、制御装置１４は、モータ３７を停止させ、運転を停止する。
【００８１】
上開き時に、移動していない上軸１１を中心に導風パネル１０が開くと、導風パネル１０の上軸１１側の端縁は、上軸１１を中心に移動し、さらに吹出口５の開口縁に近づく。このように、上軸１１に邪魔されずに導風パネル１０の端縁を吹出口５の開口縁に近接させることができる。導風パネル１０は吸込口５の上壁２１に連なり、導風パネル１０を吹出口５の一部となり、吹出口５が延長する。吹出口５からの風が導風パネル１０によって長く案内されることにより、所望の方向にスムーズな送風を行える。また、導風パネル１０により、吹出口５の開口の向きを所望の方向に向けることができ、気流を制御しやすくなる。
【００８２】
従来の導風パネル１０の構造では、導風パネル１０が開いたときに、導風パネル１０の端縁は吹出口５から離れている。そのため、吹出口５から出た風は導風パネル１０に沿って流れることはなく、導風パネル１０から離れて流れる。このとき、導風パネル１０との間にできる空間に渦が発生して、風の流れが乱される。これを防ぐためにフラップが設けられる。しかし、導風パネル１０の端縁を吹出口５の近傍に位置させることにより、このような渦が発生するような空間をなくすことができ、効率のよい送風を実現できる。しかも、フラップを設ける必要もなくなる。
【００８３】
ここで、吹出口５の上側の開口縁は、水平から上向きに湾曲するように形成されている。そのため、図２（ｂ）に示すように、導風パネル１０の上軸１１側の端縁と吹出口５の開口縁との間に隙間Ｂができる。風の一部は上壁２１から前壁２２に沿って流れ、隙間Ｂから外部に流れ出す。流れ出した風は導風パネル１０の外面に沿って流れる。急速冷房運転のとき、導風パネル１０は冷気によって冷やされ、導風パネル１０の外面に発露しやすくなる。しかし、隙間Ｂから出た風によって、外面近くの水分は吹き流され、発露を防止できる。
【００８４】
また、下開き時の導風パネル１０の端縁との間に隙間Ｂを作るために、吹出口５の上側の開口縁は滑らかな湾曲面になっているので、導風パネル１０が上開きしたとき、風は開口縁に沿ってスムーズに吹き出す。ところで、導風パネル１０の上軸１１側の端縁と吹出口５の開口縁との間に隙間Ｂができないようにするには、吹出口５の上壁２１と前壁２２と角度をつけなければならず、開口縁に角ができる。すると、風が吹出口５から出るとき、角に渦が発生して乱流となり、周りの空気を巻き込み、冷風が弱くなってしまう。また、騒音の原因にもなる。このように、隙間Ｂができるような開口縁の形状にすることにより、静かでスムーズな風の流れを生み出せる。
【００８５】
なお、本発明は、上記実施形態に限定されるものではなく、本発明の範囲内で上記実施形態に多くの修正および変更を加え得ることは勿論である。移動する軸の保持体として、導風パネルの軸を嵌め込むことにより、軸を保持する軸受とする。軸受は、軸方向（左右方向）に移動自在とされ、軸受を軸方向に移動させることにより、軸の保持および軸の保持の解除が行われるまた、軸受を前後方向に移動させることにより、軸を吹出口に近づけることができる。
【００８６】
上記の空気調和機では、上軸を移動させる構造になっているが、下軸を移動させる構造にしてもよい。下軸を移動させるための開閉部は上記のものと同じ機構とする。導風パネルの下軸が吹出口の下側の開口縁から離れた位置にある場合に、下軸を移動させることにより、導風パネルを吹出口に近づけることができる。さらに、上下の軸を移動させる構造としてもよい。
【符号の説明】
【００８７】
３    キャビネット
５    吹出口
１０    導風パネル
１１    上軸
１２    下軸
１４    制御装置
１６    開閉部
２０    吹出ユニット
２１    上壁
２２    前壁
２３    下壁
２７    パネル移動部
２８    軸移動部
２９    下軸保持体
３１    アーム
３５    移動体
３６    駆動部
３７    モータ
４５    アーム軸
４８    アーム案内部
５０    中間溝
５１    上溝
５２    下溝
７０    第１上軸保持体
７１    第２上軸保持体
８２    第１溝
８３    第２溝
８４    分岐溝
Ａ，Ｂ    隙間
【図１】
0005215441.tif 000002
【図２】
0005215441.tif 000003
【図３】
0005215441.tif 000004
【図４】
0005215441.tif 000005
【図５】
0005215441.tif 000006
【図６】
0005215441.tif 000007
【図７】
0005215441.tif 000008
【図８】
0005215441.tif 000009
【図９】
0005215441.tif 000010
【図１０】
0005215441.tif 000011
【図１１】
0005215441.tif 000012
【図１２】
0005215441.tif 000013
【図１３】
0005215441.tif 000014
【図１４】
0005215441.tif 000015
【図１５】
0005215441.tif 000016
【図１６】
0005215441.tif 000017
【図１７】
0005215441.tif 000018